(57)【特許請求の範囲】
【請求項１】
浴室内および浴室周辺の空気の温度を検知する温度検知手段および湿度を検知する湿度検知手段とミスト発生手段を備え、
温度と湿度と測定時間間隔に応じて予め設定されたカビ指標値から、前記温度検知手段および前記湿度検知手段で測定した温度と湿度に該当するカビ指標値を決定し、決定したカビ指標値から測定雰囲気中のカビ繁殖レベルを判定することを特徴とするカビ判定方法を用いて浴室内のカビ繁殖レベルを判定するカビ判定手段を備え、
前記カビ判定手段による判定結果に基づきカビ抑制運転を開始し、
前記カビ抑制運転は、前記ミスト発生手段によって浴室内の壁面温度を４０℃以上５０℃未満かつ浴室内の湿度を９０％以上１００％以下にして、この状態を一定時間維持することを特徴とする浴室暖房乾燥機。
【請求項２】
カビ判定方法は、カビ指標値を積算し、積算したカビ指標値からカビ繁殖レベルを判定することを特徴とする請求項１に記載の浴室暖房乾燥機。
【請求項３】
親水性の担体上に付着するカビ指標値を用いることを特徴とする請求項１または２に記載の浴室暖房乾燥機。
【請求項４】
カビ繁殖レベルを示す指標として、菌体量を示す値を用いることを特徴とする請求項１から３のいずれかに記載の浴室暖房乾燥機。
【請求項５】
菌体量を示す値は、コロニーの面積または体積または密度または色の濃さを示す値と、核酸またはタンパク質または脂質または糖質による菌体構成成分量を示す値のうち、少なくともいずれか１つであることを特徴とする請求項４に記載の浴室暖房乾燥機。
【請求項６】
カビ判定手段により判定したカビ繁殖レベルに基づく表示を行う表示手段を備えることを特徴とする請求項１から５のいずれかに記載の浴室暖房乾燥機。
【請求項７】
浴室外のリモコンに前記表示手段を備えることを特徴とする請求項６に記載の浴室暖房乾燥機。
【請求項８】
カビ判定手段において、判定結果があらかじめ設定したカビ繁殖レベルの範囲を超えたとき、表示手段による表示を変更することを特徴とする請求項６または７に記載の浴室暖房乾燥機。
【請求項９】
カビ抑制運転終了後、表示手段における表示を変更することを特徴とする請求項６から８のいずれかに記載の浴室暖房乾燥機。
【請求項１０】
カビ抑制運転は、加熱循環送風運転によって浴室内の湿度を５％以上４０％以下にして一定時間維持することを特徴とする請求項１から９のいずれかに記載の浴室暖房乾燥機。
【請求項１１】
カビ抑制運転として、換気運転によって浴室内の湿度を５％以上６０％以下にせしめることを特徴とする請求項１から９のいずれかに記載の浴室暖房乾燥機。
【請求項１２】
カビ抑制運転終了後、積算したカビ繁殖レベルをクリアすることを特徴とする請求項１から１１のいずれかに記載の浴室暖房乾燥機。
【発明の詳細な説明】
【技術分野】
【０００１】
本発明は、浴室内のカビの発生を防止する方法ならびにこの方法を用いた浴室暖房乾燥機に関する。
【背景技術】
【０００２】
従来、浴室暖房乾燥機またはミストサウナ付きの浴室暖房乾燥機として、蒸発したミストを浴室内へ供給するミストサウナ装置が知られている（例えば、特許文献１参照）。
【０００３】
以下、そのミストサウナ装置について図６を参照しながら説明する。
【０００４】
図６に示すように、ミストサウナ装置１０１は、給湯暖房機１０２とループ状の循環管路で接続している熱交換器１０３と熱交換器上に流されて加熱され、蒸発してミストとなる温水を供給する給湯配管１０４から構成され、給湯配管１０４には、給湯加熱部に入る前の位置に流水スイッチ１０５が設けられ、お湯流量調整弁１０６が設けてある。また、ミスト生成手段１０８によりミスト化した水の粒子を浴室内に送り込むための送風機１０９、凝集した水滴を排水する排水受１１０を設けている。また、乾燥、暖房運転を制御する手段として浴室内の温湿度を検出する手段１０７が設けられたものである。浴室内のカビの繁殖を防ぐものとしては、乾燥運転によって付着した水滴を除去し、その結果カビの繁殖を防ぐことができる。
【０００５】
また、浴室内に繁殖するカビを抑制するために、ミストサウナ装置１０１内部に換気扇を設け、浴室の使用が終了すると、浴室を乾燥させるために換気扇を運転するものもある（例えば、特許文献２参照）。
【０００６】
一方、これらの浴室暖房乾燥機、ミストサウナ装置にカビの繁殖を推定できるプログラムを組み込むことで、浴室内の換気運転、または乾燥運転を最適化し、浴室内のカビを効果的に抑制するものは、以下の従来技術から容易に推測できる。
【０００７】
これは、カビの菌糸伸長速度に経過時間を掛け合わせて積算することで、カビの生育状態を推定するものである（例えば特許文献３参照）。
【０００８】
樹脂平板上に付着させ、予め設定された温度および相対湿度（以下、湿度とする）の雰囲気化でみられたカビの菌糸伸長速度を指標とし、測定環境下の温度と湿度から、カビの生育状態を推定することにより実施できる。
【特許文献１】特許第３６９９２８９号公報
【特許文献２】特開２００２−１２６０３３号公報
【特許文献３】特許第２７１０９０３号公報
【発明の開示】
【発明が解決しようとする課題】
【０００９】
このような従来のカビ繁殖状態の推定方法において、温度と湿度からカビの繁殖レベルを推定するとき、測定時間を計測しこれを元に演算処理を行うという手法では方法が複雑になる。温度と湿度の変化を計測しながら、変化が現れるたびにそこまでの時間を求め、単位時間あたりに換算してカビの繁殖レベルを求めるという処理を常時同時に行う必要がある。そのため、同時に複数の計算が安定してできるよう、ＣＰＵを使用した演算装置が必要となるため、その結果装置が複雑化、大型化することになる。そのため、より簡易でかつ小型、安価な構成で実施できるカビ判定方法を用いた浴室暖房乾燥機が求められている。
【００１０】
本発明は、このような従来の課題を解決するものであり、予め温度と湿度と測定時間間隔に応じてカビ指標値をあらかじめ設定することで、単に記憶装置から該当するものを選択し、読み出すだけで判定できる。これにより演算処理を大幅に減らすことができ、簡便に実施することができるカビ判定方法を用いた浴室暖房乾燥機を提供することを目的とする。
【００１１】
また、カビの生育状態の推定方法では、樹脂板表面のような疎水的で水分が付着し難い場所に付着させたカビの温度と湿度による生育速度を指標としているため、実際の室内に繁殖するカビのように、水分を獲得しやすい親水性表面に付着したものは繁殖しやすく、先に出現する。そのため、従来の手法では実際のカビ繁殖レベルよりも過小評価し、カビの汚染を未然に知ることができないという課題がある。
【００１２】
本発明は、このような従来の課題を解決するものであり、カビ繁殖レベルを推定するための指標として、親水性表面をもつ担体上に付着したカビ指標値を用いたものであり、室内環境でもっともカビが発生しやすい条件に合わせることで、最初に出現するカビ汚染を精度よく判定することができるカビ判定方法を用いた浴室暖房乾燥機を提供することを目的とする。
【００１３】
また、従来のカビ生育状態の推定方法では、カビの菌糸伸長速度を指標とし、カビの生育状態の推定を行うものであるが、カビの汚染として重大な要因の１つである汚れを判定するためには、菌糸の伸長速度のように１次元的な情報では、菌糸の分岐や胞子の形成といった状態の変化も反映することができず、カビの汚れ状態とは差異が生じてくるという課題がある。
【００１４】
本発明は、このような従来の課題を解決するものであり、カビ繁殖レベルを判定するための指標として、菌体量を示す指標であるコロニーの面積、体積、密度、色の濃さ、核酸量やタンパク質量、脂質量、多糖質量、無機塩類などの菌体構成成分とすることにより、カビの汚れの原因となる胞子、菌糸などの菌体の量を直接評価することができ、カビの汚れ状態を精度よく判定することができるカビ判定方法を用いた浴室暖房乾燥機を提供することを目的とする。
【００１５】
また、従来の浴室暖房乾燥機では、浴室内のカビの繁殖を抑制するためには、浴室内を乾燥させて浴室内に付着した水分を除去する工程が必要であるが、換気運転や加熱循環送風運転などによって浴室内の水分を完全に除去するためには長時間運転させなければならず、壁面の目地や床面、気流が直接あたりにくい部分などでは水分が乾燥しきらずカビの繁殖を抑制することができないという課題がある。
【００１６】
本発明は、このような従来の課題を解決するものであり、浴室内を乾燥させた場合に水分が完全に除去されない場合にあっても、浴室内のカビの繁殖を抑制する浴室暖房乾燥機を提供することを目的とする。
【００１７】
また、カビは浴室内のいたるところで繁殖するため、浴室内のカビを抑制する手段として、浴室内全体に対して効果的に抑制できる手法が求められている。
【００１８】
本発明は、このような従来の課題を解決するものであり、ミスト生成手段を備えることで、ミストによる湿り空気の熱エネルギーをカビの抑制に利用することができ、風が当たる場所以外にもミストの拡散効果によって浴室の壁面全体を比較的均一に温度上昇させることで、高い抑制効果をえることができる浴室暖房乾燥機を提供することを目的とする。
【００１９】
また、浴室内にどの程度カビが繁殖しているかを推定し、現在どのような状態であるかを使用者に伝達し、浴室環境の改善へとつなげることができる手法が求められている。
【００２０】
本発明は、このような従来の課題を解決するものであり、浴室内でのカビの繁殖レベルの推定結果から、カビが増殖しやすいか、もしくはカビが繁殖しているかを表示手段によって表示することにより、使用者が浴室内のカビ汚染を未然に知ることができる浴室暖房乾燥機を提供することを目的としている。
【課題を解決するための手段】
【００２１】
本発明の浴室暖房乾燥機は、上記目的を達成するために、浴室内および浴室周辺の空気の温度を検知する温度検知手段および湿度を検知する湿度検知手段とミスト発生手段を備え、温度と湿度と測定時間間隔に応じて予め設定されたカビ指標値から、前記温度検知手段および前記湿度検知手段で測定した温度と湿度に該当するカビ指標値を決定し、決定したカビ指標値から測定雰囲気中のカビ繁殖レベルを判定することを特徴とするカビ判定方法を用いて浴室内のカビ繁殖レベルを判定するカビ判定手段を備え、前記カビ判定手段による判定結果に基づきカビ抑制運転を開始し、前記カビ抑制運転は、前記ミスト発生手段によって浴室内の壁面温度を４０℃以上５０℃未満かつ浴室内の湿度を９０％以上１００％以下にして、この状態を一定時間維持することを特徴とする浴室暖房乾燥機としたものである。
【００２２】
これにより、予め温度と湿度と対象期間の長さに応じて指標値を設定することで、時間の関数とした演算処理を大幅に減らすことができ、大型の演算装置を使用せず簡易なマイコン上で簡便に実施することができる。また、浴室暖房乾燥機にて温度と湿度を検知してカビの繁殖レベルを判定することで浴室内のカビの汚染を調べる機器を別途浴室内に設置することなく浴室暖房乾燥機を利用することにより省スペース化することができる。また、ミストの湿り空気の熱エネルギーをカビの抑制に利用することができ、風が当たる場所以外にもミストの拡散効果によって浴室の壁面全体を比較的均一に温度上昇させることができる。また、カビ判定手段によるカビ繁殖レベルを示す指標値が一定以上範囲を超えたとき、カビの汚れが目立つようになってくる前に速やかにカビ抑制運転を実施することで、カビの繁殖を防止することができる。また、ミスト生成手段による湿り空気の熱エネルギーにより、壁面の温度を４０℃以上とすることでカビの繁殖を抑制することができ、風が直接当たらない場所においてもミストの拡散効果によって浴室の壁面全体を比較的均一に温度上昇させることができるため、高いカビ抑制効果を得ることができる。
【００２３】
また、他の手段は、カビ指標値を積算し、積算したカビ指標値からカビ繁殖レベルを判定することを特徴とする請求項１に記載の浴室暖房乾燥機としたものである。
【００２４】
これにより、簡易的な方法で温度および湿度が変化する空間における一定期間中のカビ繁殖レベルを判定することができる。
【００２５】
また、他の手段は、親水性の担体上に付着するカビ指標値を用いることを特徴とする請求項１または２に記載の浴室暖房乾燥機としたものである。
【００２６】
これにより、カビ汚染が多くみられるような水滴が付着しやすい親水性の表面であっても、カビ繁殖レベルを精度よく判定することができる。
【００２７】
また、他の手段は、カビ繁殖レベルを示す指標として、菌体量を示す値を用いることを特徴とする請求項１から３のいずれかに記載の浴室暖房乾燥機としたものである。
【００２８】
これにより、カビの菌体量を示す指標を用いることで、目に見えるカビの汚れ度合いと、カビ繁殖レベルとの間における感覚の差を無くすことができる。
【００２９】
また、他の手段は、菌体量を示す値は、コロニーの面積または体積または密度または色の濃さを示す値と、核酸またはタンパク質または脂質または糖質による菌体構成成分量を示す値のうち、少なくともいずれか１つであることを特徴とする請求項４に記載の浴室暖房乾燥機としたものである。
【００３０】
これにより、カビの菌体量を示す指標として、コロニー外観の面積、体積および密度、色の濃さや、核酸量、タンパク質量、脂質量、糖質量の菌体構成成分量を用いることで、カビの変化を直接求めることができ、指標値の精度を高めることができる。
【００３５】
また、他の手段は、カビ判定手段により判定したカビ指標値に基づく表示を行う表示手段を備えることを特徴とする請求項１から５のいずれかに記載の浴室暖房乾燥機としたものである。
【００３６】
これにより、浴室内におけるカビ繁殖レベルの判定結果から、カビが増殖しやすいか、もしくはカビが繁殖しているかを表示手段によって表示することにより、浴室内のカビ汚染を未然に知ることができるか、カビの汚染を最小限で抑制することができる。
【００３７】
また、他の手段は、浴室外のリモコンに前記表示手段を備えることを特徴とする請求項６に記載の浴室暖房乾燥機としたものである。
【００３８】
これにより、浴室外、例えば脱衣室や台所のリモコン上に表示手段を設けることで、浴室に入らないときにも使用者がカビ繁殖レベルを認識しやすくすることができる。
【００３９】
また、他の手段は、カビ判定手段において、判定結果があらかじめ設定したカビ繁殖レベルの範囲を超えたとき、表示手段による表示方法を変更することを特徴とする請求項６または７に記載の浴室暖房乾燥機としたものである。
【００４０】
これにより、カビ判定手段によるカビ繁殖レベルを示す指標値が一定以上範囲を超え、カビの汚れが目立つようになってくる前に表示手段の表示方法を変更することで、使用者がカビ汚染の抑制対策を実施するタイミングを知ることができる。
【００４３】
また、他の手段は、カビ抑制運転終了後、表示手段における表示方法を変更することを特徴とする請求項６から８のいずれかに記載の浴室暖房乾燥機としたものである。
【００４４】
これにより、カビ抑制運転を終了した後、表示手段によるカビ繁殖レベルの表示を変更し、或いはカビ繁殖レベルであることの表示を切ることで、使用者がカビの繁殖が抑制されたことを判別しやすくすることができる。
【００４７】
また、他の手段は、カビ抑制運転として、加熱循環送風運転によって浴室内の湿度を５％以上４０％以下にせしめ一定時間維持することを特徴とする請求項１から９のいずれかに記載の浴室暖房乾燥機としたものである。
【００４８】
これにより、加熱循環送風運転によって浴室内の湿度を４０％以下にし、一定時間維持することでカビの菌糸の付着水を除去し、カビの繁殖を抑制することができる。
【００４９】
また、他の手段は、カビ抑制運転として、換気運転によって浴室内の湿度を５％以上６０％以下にせしめることを特徴とする請求項１から９のいずれかに記載の浴室暖房乾燥機としたものである。
【００５０】
これにより、換気運転によって、浴室内の高湿度空気を屋外へ排出し、湿度の低い空気を浴室内に取り込んで浴室内を乾燥させ、６０％以下となるようにすることで、カビの繁殖に必要な水分を獲得できなくなり、カビの繁殖を抑制することができる。
【００５１】
また、他の手段は、カビ抑制運転終了後、積算したカビ繁殖レベルをクリアすることを特徴とする請求項１から１１のいずれかに記載の浴室暖房乾燥機としたものである。
【００５２】
これにより、カビ抑制運転ののち、カビ繁殖レベルを示す指標値の積算値をクリアし、初期状態にすることで、新たに発生するカビの繁殖レベルの判定を行うことができる。
【発明の効果】
【００５３】
本発明によれば、演算処理を簡略化することができるため、大型の演算装置のように複雑な構成を必要とせず、安価でかつ省スペースでカビ判定方法を実施することができるという効果が得られる。
【００５４】
また、カビが繁殖するレベルの正確性を向上させることができ、清潔性の向上、カビ掃除を簡易化できるという効果が得られる。
【００５５】
また、カビの繁殖レベルを示す指標として、菌体量を示す値、すなわちコロニーの面積、体積、密度、色の濃さ、核酸やタンパク質などの菌体構成成分量のうちいずれか１つ以上を用いることによって、判定精度を向上させるができ、カビの汚れが現れにくく、清潔性を高めるという効果が得られる。
【００５６】
また、浴室内のカビの繁殖を知ることで、カビの抑制など住宅環境の改善へとつなげることができ、清潔性を高めるという効果が得られる。
【００５７】
また、浴室内の隅々のカビを効果的に抑制することができ、清潔性を高めるという効果が得られる。
【００５８】
また、使用者が浴室のカビの繁殖レベルを頻繁に確認することができ、より確実にカビの繁殖を防止することができ、清潔性を高めることができるという効果が得られる。
【００５９】
また、最適な間隔でカビの抑制対策を行うことができるが、カビの繁殖を抑制する間隔が長すぎて効果が得られないことや、間隔が短すぎて過剰なエネルギーを使用することなどを防止することができ、省エネルギー化することができるという効果が得られる。
【００６０】
また、カビの繁殖が進む前に直ちにカビ抑制運転を実施することで、カビの繁殖を未然に防止することができ、カビ汚れを防止し、清潔性を高めるという効果が得られる。
【００６１】
また、カビ抑制運転を行った後、表示手段における表示方法を変更することによって、追加で過剰なカビ抑制エネルギーを投じることを防止することができ、省エネルギー化することができるという効果が得られる。
【００６２】
また、加熱循環送風によるエネルギーが、ミストによるエネルギーよりも小さいため、より少ないエネルギーでカビを抑制でき、省エネルギー化することができるという効果が得られる。
【００６３】
また、換気運転のエネルギーは加熱手段によるエネルギーよりも大幅に小さいため、外気の空気条件がカビの繁殖しない場合に、省エネルギーでカビ抑制手段を実現できるという効果が得られる。
【００６４】
また、新たに発生するカビの繁殖レベルを示す指標値を過大評価し、過剰なカビ抑制運転を行うことを防止することができ、省エネルギー化することができるという効果が得られる。
【００６５】
また、塩素などの防カビ剤を使用することなく、カビを抑制することができるため、環境負荷を低減することができるという効果が得られる。
【００６６】
また、カビの胞子の発芽活性と菌糸の成長を停止させることで、浴室内のカビ数を著しく低減させ、防カビ運転の頻度を低減することができるという効果が得られる。
【発明を実施するための最良の形態】
【００６７】
本発明を実施するための最良の形態として、請求項１記載の発明は、浴室内および浴室周辺の空気の温度を検知する温度検知手段および湿度を検知する湿度検知手段とミスト発生手段を備え、温度と湿度と測定時間間隔に応じて予め設定されたカビ指標値から、前記温度検知手段および前記湿度検知手段で測定した温度と湿度に該当するカビ指標値を決定し、決定したカビ指標値から測定雰囲気中のカビ繁殖レベルを判定することを特徴とするカビ判定方法を用いて浴室内のカビ繁殖レベルを判定するカビ判定手段を備え、前記カビ判定手段による判定結果に基づきカビ抑制運転を開始し、前記カビ抑制運転は、前記ミスト発生手段によって浴室内の壁面温度を４０℃以上５０℃未満かつ浴室内の湿度を９０％以上１００％以下にして、この状態を一定時間維持することを特徴とする浴室暖房乾燥機としたものであり、予め温度と湿度と対象期間の長さに応じて指標値を設定することで、時間の関数とした演算処理を大幅に減らすことができるという作用を有し、マイコン上で簡便に実施することができるという作用を有し、小型化できるという作用を有する。また、浴室暖房乾燥機にて温度と湿度を検知してカビの繁殖レベルを判定することで、浴室内がカビによって汚染されているかを使用者が知ることができるという作用を有し、カビを調べるための機器を別途浴室内に設置することなく、浴室暖房乾燥機を利用することにより省スペース化することができるという作用を有する。また、ミスト生成手段による湿り空気の熱エネルギーによってカビを抑制することができるという作用を有し、風が当たる場所以外にもミストの拡散効果によって浴室の壁面全体を比較的均一に温度上昇させることができるという作用を有し、浴室内の隅々までカビを抑制することができるという作用を有する。また、カビ判定手段によるカビ繁殖レベルを示す指標値が一定以上範囲を超え、カビの汚れが目立つようになってくる前に速やかにカビ抑制運転を実施することで、カビの繁殖を防止することができるという作用を有する。また、ミスト生成手段による湿り空気の熱エネルギーにより、壁面の温度を４０℃以上とすることで、カビの菌糸を抑制することができるという作用を有し、カビの胞子を抑制することができるという作用を有し、風が当たる場所以外にもミストの拡散効果によって浴室の壁面全体を比較的均一に温度上昇させることができるという作用を有し、高い抑制効果が得られるという作用を有する。
【００６８】
また、請求項２記載の発明は、カビ指標値を積算し、積算したカビ指標値からカビ繁殖レベルを判定することを特徴とする請求項１に記載の浴室暖房乾燥機としたものであり、カビの指標値を積算した値を、合計期間のカビの繁殖レベルを示す値とすることで、温度と湿度が変化する一定期間のカビの繁殖レベルを、選定と積算という簡易的な演算処理のみで判定することができるという作用を有し、大型の演算装置を必要とせず小型化することができるという作用を有する。
【００６９】
また、請求項３記載の発明は、親水性の担体上に付着するカビ指標値を用いることを特徴とする請求項１または２に記載の浴室暖房乾燥機としたものであり、カビ汚染が多くみられるのは、水滴が付着しやすく、脱離しにくい親水性の表面であるため、このような箇所の繁殖レベルを判定することができるという作用を有し、カビ判定の正確性を向上させることができるという作用を有する。
【００７０】
また、請求項４記載の発明は、カビ繁殖レベルを示す指標として、菌体量を示す値を用いることを特徴とする請求項１から３のいずれかに記載の浴室暖房乾燥機としたものであり、カビの菌体量を示す指標を用いることで、目に見えるカビの汚れ度合いと、カビの繁殖レベルの判定値との間における感覚の差を無くすことができるという作用を有する。
【００７１】
また、請求項５記載の発明は、菌体量を示す値は、コロニーの面積または体積または密度または色の濃さを示す値と、核酸またはタンパク質または脂質または糖質による菌体構成成分量を示す値のうち、少なくともいずれか１つであることを特徴とする請求項４に記載の浴室暖房乾燥機としたものであり、カビの菌体量を示す指標として、コロニー外観の面積、体積および密度、色の濃さや、核酸量、タンパク質量、脂質量、糖質量、無機塩類などの菌体構成成分量を用いることで、カビの菌体量の変化を直接求めることができるという作用を有し、指標値の精度を高めることができるという作用を有する。
【００７４】
また、請求項６記載の発明は、カビ判定手段により判定したカビ繁殖レベルに基づく表示を行う表示手段を備えることを特徴とする請求項１から５のいずれかに記載の浴室暖房乾燥機としたものであり、浴室内のカビ繁殖レベルの判定結果から、カビが増殖しやすいか、もしくはカビが繁殖しているかを表示手段によって表示することにより、浴室内のカビ汚染を未然に知ることができるという作用を有し、カビの汚染を最小限で抑制できる作用を有する。
【００７５】
また請求項７記載の発明は、浴室外のリモコンに前記表示手段を備えることを特徴とする請求項６に記載の浴室暖房乾燥機としたものであり、浴室外、例えば脱衣室や台所のリモコン上に表示手段を設けることで、浴室に入らないときにも、目にすることが多い場所に設置することで、カビ繁殖レベルを認識しやすくなるという作用を有する。
【００７６】
また、請求項８記載の発明は、カビ判定手段において、判定結果があらかじめ設定したカビ繁殖レベルの範囲を超えたとき、表示手段による表示を変更することを特徴とする請求項６または７に記載の浴室暖房乾燥機としたものであり、カビ判定手段によるカビ繁殖レベルを示す指標値が一定以上範囲を超え、カビの汚れが目立つようになってくる前に表示手段の表示を変更することで、カビ汚染の抑制対策を実施するタイミングを知ることができるという作用を有する。
【００７８】
また、請求項９記載の発明は、カビ抑制運転終了後、表示手段における表示を変更することを特徴とする請求項６から８のいずれかに記載の浴室暖房乾燥機としたものであり、カビ抑制運転を終了した後、表示手段によるカビ繁殖レベルの表示を変更し、或いはカビ繁殖レベルであることの表示を切ることで、カビの繁殖が抑制されたことを使用者が判別しやすくなるという作用を有する。
【００８０】
また、請求項１０記載の発明は、カビ抑制運転は、加熱循環送風運転によって浴室内の湿度を５％以上４０％以下にして一定時間維持することを特徴とする請求項１から９のいずれかに記載の浴室暖房乾燥機としたものであり、加熱循環送風によって浴室内の湿度を４０％以下にし、一定時間維持することでカビの菌糸の付着水を除去し、カビの繁殖を抑制することができるという作用を有する。
【００８１】
また、請求項１１記載の発明は、カビ抑制運転として、換気運転によって浴室内の湿度を５％以上６０％以下にせしめることを特徴とする請求項１から９のいずれかに記載の浴室暖房乾燥機としたものであり、換気運転によって、浴室内の高湿度空気を屋外へ排出し、湿度の低い空気を浴室内に取り込んで浴室内を乾燥させ、６０％以下となるようにすることで、カビの抑制のための加熱エネルギーを削減できるという作用を有し、カビが繁殖に必要な水分を獲得できず、カビの繁殖を抑制することができるという作用を有する。
【００８２】
また、請求項１２記載の発明は、カビ抑制運転終了後、積算したカビ繁殖レベルをクリアすることを特徴とする請求項１から１１のいずれかに記載の浴室暖房乾燥機としたものであり、カビ抑制運転の後、カビ繁殖レベルを示す指標値の積算値をクリアし、初期状態にすることで、新たに発生するカビ繁殖レベルの判定を行うことができるという作用を有する。
【００８３】
以下、本発明の実施の形態について、図面を参照しながら説明する。
【００８４】
（実施の形態１）カビ判定方法
表１は、本発明のカビ判定方法のカビ判定手段で用いるカビ繁殖レベルの指標値の一覧である。
【００８５】
【表１】
0005119959.tif 000002
【００８６】
カビ判定方法は、測定雰囲気の温度および湿度（相対湿度）から、予め設定されたカビ繁殖レベルの指標値と比較し、測定雰囲気でのカビ繁殖レベルの判定を行う。カビ繁殖レベルとは、カビの成長度合いのレベルを示す値であり、カビ繁殖レベルが小さいとカビがあまり成長しておらず、またカビ繁殖レベルが大きい場合、カビが大きく成長し、見た目にもカビ汚染が進行している状態にあることを示す。表に示された指標値は、時定数τ１におけるカビ指標値の一覧であり、温度と湿度ごとに値が定められている。指標値は、コロニーの大きさ、色の濃さなどの外観や、核酸量、タンパク質量などの菌体構成成分の量などから設定される値であり、予め実験結果などから設定する。カビ汚れと判断される外観の大きさ、色の濃さになる閾値を設定し、その値を超えることでカビの汚染が発生したとすることとする。例えば、大きさであれば、直径２ｍｍ以上でカビと認識でき、５ｍｍ以上になると不快に感じるレベルとなるが、閾値はカビであると判別できる２ｍｍとする。また、時定数とはこの場合測定時間間隔を示す。
【００８７】
カビ判定方法をプログラム上で行う場合、時定数を用いることで、カビ繁殖レベルにかかる演算処理を省略できる。これまでの手法においては、温度と湿度ごとにカビの菌糸伸張速度からなるカビ指標値を定め、連続して測定する間の温度と湿度の変化を直ちにカビ繁殖レベルに変換処理し、その時々のカビ繁殖レベルが継続した時間から、その値を掛け合わせ、積算して合計期間のカビ繁殖レベルを求めるという方法であり、複数の演算処理を同時に行うため、ＣＰＵを含む演算装置が必要となり、浴室暖房乾燥機などの機器にそのまま組み込むことは難しい。
【００８８】
時定数による方法を用いると、マイコン上のメモリなどの記憶装置に記憶させてあるカビ指標値を、時定数、温度、湿度の条件から選択し、読み出すことで実施できるため、汎用的な浴室暖房乾燥機のような機器にも搭載することができる。時定数を用いると、測定時間間隔が制限されるが、温度と湿度の変化やカビ繁殖レベルの変化は緩やかであり測定精度への影響は少ない。住環境のように急激な温度変化が見られない環境では、時定数は１時間から２４時間程度の間隔がよく、好ましくは１時間から６時間であるが、省エネモードとして、時定数を延長し２４時間ごととすることで、計測機器の待機電力を削減でき、測定作業を省略することもできる。
【００８９】
カビ指標値は、積算して合計期間の値とすることができる。カビは温度と湿度の環境によって繁殖する速さが変化するが、カビの色は漂白剤などで脱色されない限り残存するため、長期間のカビの繁殖レベルは、その期間の間の温度と湿度の変化に応じたカビの繁殖レベルを合計した結果として表すことができる。よって、浴室内の温度と湿度が変化してもカビが生えてくるタイミングを知ることができ、カビ対策を施すことによってカビの繁殖を未然に防ぐことができる。
【００９０】
カビの繁殖レベルは、カビの種類や、付着する対象物の表面の親水性、表面形状、栄養源の存在などによって異なるため、条件を厳密に設定し、指標値を求めることが必要である。カビの繁殖によって汚染される場所は、カビが発芽、増殖するための水分を獲得しやすい状態である。カビの繁殖による汚染状態を推定する場合、このような好適条件のもと再現試験を行い、指標値を設定することが望ましく、特に付着する表面の親水性が高いものを付着対象の担体として使用することが必要となる。
【００９１】
カビを付着させる親水性の担体としては、セルロースやシリカゲル、またはグラスファイバーなどの基材が使用できる。これらは、主なカビの汚れが黒色などの暗色であり、これらを認識しやすくするために、無色や白色など淡色であることが好ましい。また、観察する便宜上、平面状で、好ましくは１ｍｍ以下に薄膜化されているものを使用する。用いる材料は、例えばセルロースであればろ紙、シリカゲルであれば、薄相クロマトグラフィー用のシリカゲルプレートなどが使用できる。これらは、はじめ乾燥していることが必要であるが、カビが低湿度で死滅しないよう、カビを接種する前には一定の温度および湿度で平衡化しておく作業がいる。
【００９２】
試験に供するカビは、浴室内に繁殖するカビとして最も有名なクラドスポリウム属真菌（Ｃｌａｄｏｓｐｏｒｉｕｍ  ｃｌａｄｏｓｐｏｒｉｏｉｄｅｓ  、ＮＢＲＣ６３４８、以下クラドスポリウム）や、オーレオバシジウム（Ａｕｒｅｏｂａｓｉｄｉｕｍ  ｐｕｌｕａｎｓ  ＮＢＲＣ６３５３）が好ましいが、低温性、中温性、高温性、または好乾性など、様々な温湿度で生育するカビを広く使用することが重要である。
【００９３】
カビを接種する前には、想定される環境に応じて栄養源を担体に含浸させておく。例えば浴室を想定した場合、カビの栄養源として、石鹸カスや、人垢、皮脂成分が考えられる。そのため、栄養源としては皮脂成分であるトリグリセライドの代用で、トリオレイン、トリリノレインや、あるいはオリーブオイルなどをｎ−ヘキサンなどの溶剤で希釈し、１０ｃｍ平方あたり０．１から１ｍｌとなるように含浸させる。栄養源は事前に十分に調査し、適切な量を用いて評価を行うことが重要となる。
【００９４】
栄養源を含浸させた担体の表面に、カビの胞子を接種する。胞子は、一定量接種しやすいよう一定濃度になるように胞子液を調製し、試験に供する。カビは、あらかじめポテトデキストロース寒天培地（以下、ＰＤＡ培地）などの培地上にて、２５℃から３０℃で３日から７日間前培養し、胞子を十分に形成させる。増殖したカビの表面から、白金耳で胞子を回収し、希薄なｎ−オクチルスルホコハク酸などの界面活性剤で分散させたのち、蒸留水に希釈、または洗浄置換して胞子液を作製する。作製した胞子液は、スライドグラスや血球計算盤に少量滴下し、顕微鏡上で観察して胞子数を計数する。
【００９５】
作製した胞子液を、栄養源を含浸させた担体表面に滴下する。滴下する面積は評価方法によって異なるが、評価指標としてカビの増殖面積を使用する場合、１ｍｍ以下の極力小さい面積になるようガラスキャピラリーなどの細管を使用して接種する。接種する胞子数は１０の３乗個から５乗個程度とする。
【００９６】
カビを接種した担体は、速やかに調整した温度および湿度環境のチャンバー内に密閉し、培養する。一定期間培養後、チャンバーから取り出し、顕微鏡や目視で観察し、色を目安にコロニーの大きさ、色の濃さを計測し、数値化する。もしくは、菌体構成成分を指標とする場合には、担体に酵素や溶剤などの抽出試薬を反応させ、カビの菌体構成成分を抽出し、成分を測定する。核酸であれば、例えば粗抽出液に対しフェノールおよびクロロホルムの混合溶液を反応させて核酸を分離し、エタノールなどで精製したのち吸光度から濃度を求めることで、菌体量と相関するカビ指標値を求めることができる。それぞれ１日後の結果であれば、２４時間で割って、１時間あたりの大きさを求める。この値をカビの指標値として用いる。
【００９７】
表１は、カビの大きさをもとに数値化し、時定数τ１における指標値としたものであるが、温度が２５．１℃以上３０．０℃以下の場合でかつ湿度９０％以上９９％以下の場合、２８０という値が選択され、これまで累積した値に積算されることになる。閾値を８００とすると、上記温度および湿度の期間がτ１の３倍続いた時累積値が８４０となるため、３回目の測定終了後に表示手段によってカビ汚染を示す点灯表示を実行する。
【００９８】
また、カビ指標値から、空間のカビの繁殖しやすさを定性的に比較することができる。２８℃で８５％の空間と１８℃で８５％の空間におけるカビの生えやすさをカビ指標値をもとに比較すると、２８℃で８５％の空間はカビ指標値が９０であり、１８℃で８５％の空間はカビ指標値が１８である。２８℃で８５％の方が５倍カビが成長しやすいことがわかる。
【００９９】
以上の方法により、温度と湿度、保持時間ごとのカビ指標値を求め、測定した温度および湿度からカビ指標値を選定し、カビ汚染の判定を行うことができる。
【０１００】
（実施の形態２）ミストサウナ付き浴室暖房乾燥機の構成
図１は、本発明のミストサウナ付き浴室暖房乾燥機の構成を示す図である。
【０１０１】
浴室暖房乾燥機１は、浴室内の空気を排気する換気ボックス２と浴室内の乾燥、循環送風、ミストの生成、噴霧を行うミスト発生乾燥循環ボックス３と換気ボックス２内の構成部品、ミスト発生乾燥循環ボックス３内の構成部品を制御する運転制御指示回路４から構成されている。
【０１０２】
換気ボックス２内には、浴室に設置してあるミスト発生乾燥循環ボックス３を通過し、浴室内の空気を排気するための排気ファン５と浴室内の排気量を制御する排気ダンパー６を設けている。
【０１０３】
ミスト発生乾燥循環ボックス３内には、給湯暖房機７から給湯配管８を通して供給されるお湯をミスト化するためのミスト生成手段９がある。ミストサウナは、ミスト生成手段９より温水をミスト化し、エレミネータ１０で水滴を除去した後、浴室内に噴霧される。これにより発生するミストの粒径は０．１μｍから１０μｍ程度の粒径をもつ。エレミネータ１０で除去された水滴は、排水受１１で集められ、排水される。また浴室内の空気を加熱する空気加熱手段である熱交換器１２、浴室内に空気を循環送風させるための循環送風手段として送風機１３を設けている。また浴室内の温度を検出する温度検知手段１４と浴室内の湿度を検出する湿度検知手段１５をミスト発生乾燥循環ボックス３に設けている。
【０１０４】
浴室内壁および断熱材の外側には浴室周囲空気温度検知手段１６を設けているが、浴室内壁および断熱材の外側に面していれば、換気ボックス２またはミスト発生乾燥循環ボックス３のいずれかに設けることが好ましい。この場合、屋根裏の空気を浴室周囲空気温度として測定する。一方、浴室周囲のより温度が低い側面または床面の周囲まで配線で伸ばして設置することもできる。
【０１０５】
運転制御指示回路４はミスト噴霧運転、乾燥運転、循環送風運転、暖房運転、換気運転の切り替えや、調整、各種運転モードの変数の設定など浴室暖房乾燥機１の運転方法の制御を行うものである。
【０１０６】
ここで、ミスト噴霧運転とは、給湯暖房機７から給湯配管８を通して供給されるお湯をミスト生成手段９によりミスト化したものを循環送風手段である送風機１３により浴室内に噴霧する運転であり、また乾燥運転とは、排気ファン５を運転し、開放された排気ダンパー６より浴室内の空気を浴室外へ排気する運転、または浴室内の空気を浴室外へ排気しつつ熱交換器１２により加熱された空気を循環送風手段によって浴室内に循環送風させる加熱循環送風運転のことを指す。
【０１０７】
暖房運転とは、空気加熱手段である熱交換器１２を通過した加熱空気を循環送風手段である送風機１３によって、浴室内に循環送風し、浴室内を温度上昇させるための運転方法である。このとき、乾燥運転とは異なり、換気ボックス２内の排気ファン５および排気ダンパー６を使用しないため、暖められた空気は浴室外へ放出させず、効率的に浴室内を温度上昇させることができる。
【０１０８】
暖房運転の吹出し空気温度は加熱温度制御手段によって４０℃から６０℃の間になるように調整する。加熱温度制御手段は、熱交換器１２に供給されるお湯の温度を調整する手段と、供給するお湯量調整弁１７、吹出し空気温度を検知する手段によって構成され、吹出し空気温度が設定範囲内に入るように運転制御を行うものである。
【０１０９】
運転制御指示回路４は、送風機１３、排気ファン５、排気ダンパー６や、給湯配管８に設けたお湯量調整弁１７などの電磁弁、気流の風向を制御するための気流制御手段１８、温度検知手段１４、湿度検知手段１５、浴室周囲空気温度検知手段１６などと配線で接続されている。
【０１１０】
また、操作手段として、浴室内リモコン（リモートコントローラー）１９及び脱衣室リモコン２０を設け、運転方法や運転温度、運転時間などを使用者がボタン操作で選択、実行することができる。浴室内の温度検知手段１４および浴室周囲空気温度検知手段１６としては、赤外線などにより、表面温度を計測するセンサがあるが、水滴が付着すると表面温度の計測ができないことがあるため、例えば、水滴が付着しにくく、耐水性を施した熱電対センサが好ましい。
【０１１１】
また、表面に撥水または疎水処理を施すのも有効である。浴室内の温度検知手段１４は浴室内の温度を検出するものであり、例えば実際に浴室で起こりうる温度範囲である５℃以上６０℃以下を検出できるものであるのが好ましい。
【０１１２】
浴室内の温度検知手段１４は図１に示した通り、浴室暖房乾燥機１のミスト発生乾燥循環ボックス３の内部に設けるのが好ましいが、浴室内であればこれに限定されない。しかし、浴室内の水滴が付着する部位に設置する場合は、水滴の付着による検出阻害が起こらない手段を選択する必要がある。
【０１１３】
また、浴室内の温度検知手段１４で浴室内の温度５０℃以上を検知した場合は、浴室部材、浴室内テレビやラジオといった備品への悪影響を最小限に抑えるために、自動でミスト噴霧運転または乾燥運転が停止される運転制御方法を運転制御指示回路４に組み込むのが好ましい。
【０１１４】
浴室内の湿度検知手段１５として、塩化リチウムやセラミックなどを素材とするセンサが挙げられるが、表面に付着した水滴と結合し、湿度の計測ができないことがある。素材に高分子膜を用いたこと湿度センサを利用すると水滴の付着による湿度計測阻害を最小限にすることが可能である。また、浴室内の湿度検知手段１５は浴室内の湿度を検出するだけで良く、例えば、湿度検知範囲は４０％から１００％にするのが好ましい。
【０１１５】
浴室内の湿度検知手段１５は図１に示した通り、浴室暖房乾燥機１の内部に設けるのが好ましいが、浴室内であればこれに限定されない。しかし、浴室内の水滴が付着する部位に設ける場合は、水滴の付着による検出阻害が起こらない手段を選択する必要がある。
【０１１６】
カビ判定手段は、実施の形態１のカビ判定方法によるカビ繁殖レベルを示す指標値のマトリクスを運転制御指示回路４内のマイコン上にプログラムしたものである。リモコン上には、カビ判定手段によるカビ繁殖レベルの判定結果を表示する表示手段２１を設ける。
【０１１７】
表示手段は、発光ダイオード表示や液晶パネル表示などで行う。表示手段２１は脱衣室リモコン２０に設けることがよいが、これに限定されない。カビ繁殖レベルが予め設定した閾値以上となった場合、表示手段の発光表示の色を緑色から黄色、もしくは赤色へと変更し、カビの汚染が進行したことを使用者へと伝えるものとする。
【０１１８】
表示手段の表示が変更され、カビの汚染が進行した場合、使用者は防カビ運転制御手段によるカビ抑制運転を行う。防カビ運転制御手段とは、ミスト噴霧運転、暖房運転、循環送風運転、乾燥運転、換気運転によってカビの繁殖を抑制するために予め設定された運転モードである。防カビ運転制御手段の起動は、リモコンに起動手段２２としてボタンを設置し、使用者がボタン操作で実行できるようにすることが好ましい。
【０１１９】
一方、表示手段２１による表示とあわせ、カビ抑制運転を自動制御で開始することで、カビの進行を早期に防ぐことができるため、浴室内の防カビ効果を高めることができる。カビ抑制運転を終了した後は、表示手段２１の表示を変更し、初期の表示に戻すことで、使用者は浴室内にカビの汚染が進行する前の状態であると判断することができる。
【０１２０】
カビ抑制運転は、状況にあわせて運転方法を選択することで高い抑制効果をえることができ、温度検知手段１４、湿度検知手段１５により測定された温湿度によって、運転方法を選択するよう運転制御指示回路４にプログラムしておく。
【０１２１】
夏期や中間期のような温度と湿度が高い場合、カビ汚染が進行しやすい空気条件にあり、浴室を換気運転により乾燥させても、浴室内がカビの繁殖しにくい２５℃以下かつ７５％以下の状態になることは期待されない。
【０１２２】
浴室内のカビ抑制運転方法として、ミスト噴霧運転による湿熱の防カビ効果が高い。高温の微細なミストを噴霧することにより、浴室内に温水のミストが充満し、拡散効果によって壁面や床面の隅など風が届きにくい場所においても効果的に昇温させることができる。ミスト噴霧運転によって、浴室内壁面の温度を４０℃以上、浴室内の温湿度を４０℃以上かつ９０％以上にすることで、浴室内に繁殖するカビを抑制することができる。この温湿度条件を１時間以上持続させることで、浴室内のカビの８割以上を抑制することができる。またミスト噴霧運転ではなく、暖房運転によっても、長時間かかるが壁面の温度を上昇させ、維持させることで、カビの繁殖を抑制することができる。
【０１２３】
また、別の方法として、加熱循環送風運転によって湿度を極端に低下させ、カビの表面に付着している結合水を除去し、菌糸を乾燥させて死滅させ、カビを抑制する方法がある。この場合、浴室内の湿度を４０％以下として、１時間以上維持させれば、多くのカビ菌糸を抑制することができる。
【０１２４】
一方、カビが繁殖し難い季節、例えば冬期や中間期の外気では、温度も湿度も低く（１０℃未満、６０％未満）カビの繁殖には適さないためカビの成長は少ない。このような季節の場合には、暖房運転を行わなくても、換気及び循環送風により浴室内の温度と湿度を下げることで、十分にカビの繁殖を抑制することが可能となる。このような制御を行うことで、暖房運転にかかるエネルギーを低減することができ、省エネルギーな防カビ運転制御手段とすることができる。
【０１２５】
また、浴室周囲の空気温度は低い（２５℃未満）が、屋内を暖房するなどで浴室内の温度が高い（２５℃以上）場合、浴室内の壁面付近は浴室周囲の温度と浴室内温度の温度差によって、湿度が高くなり、カビが繁殖する可能性が高まる。このような場合、浴室内を循環送風運転により壁面の湿度を低減して、更に換気運転によって湿気をもった空気を屋外へ排気することでカビの繁殖を抑制することができる。
【０１２６】
また、防カビ運転制御手段において、浴室内温度と浴室周囲温度の間に差が見られる場合、湿度検知手段１５によって検出される湿度は、浴室内の空気の湿度であるため、実際にカビが繁殖する壁面の湿度を正確に反映していない。そのため、壁面付近がカビの繁殖下限値とされる７５％に達するときの空気の湿度を、図２に示すように、空気線図から導き出すことが重要である。これによると、温度差が５℃以上有るものとして、約６０％以上の場合において、壁面付近の湿度が７５％以上に達するものと考えることができる。そのため、湿度検知手段１５で検出される湿度は６０％を判定の上限値として設定し、換気運転によってこの値以下の湿度を維持させるように制御することが好ましい。
【０１２７】
カビ抑制運転後は、浴室内の温度が下がり、湿度が上がったとしても、浴室内に生きたカビがほとんど存在しないため、カビの繁殖は起こりえない。そこで、カビ判定手段におけるカビ指標値の積算値をリセットし、この時点から新たなカビの汚染の検知を行う。このようにカビの汚染の進行状況を判定し、最適な間隔でカビを抑制することにより、カビ抑制運転にかかるエネルギーを最小化し、省エネルギーで浴室内の清潔性を保つことができる。
【０１２８】
このようにして、カビ繁殖レベルを判定し、カビの汚染が進行する前にカビ抑制運転を行うことで、浴室内のカビが繁殖して汚染が進行する前に効果的に抑制し、カビの生えない浴室を継続して維持することができる浴室暖房乾燥機となる。
【０１２９】
（実施の形態３）カビの繁殖抑制効果
浴室内に繁殖するカビとして最も有名なクラドスポリウム属真菌（Ｃｌａｄｏｓｐｏｒｉｕｍ  ｃｌａｄｏｓｐｏｒｉｏｉｄｅｓ  、ＮＢＲＣ６３４８、以下クラドスポリウム）を用いて、ヒートショックによる増殖抑制試験を行った。以下にその方法を記す。
【０１３０】
ＰＤＡ培地により試験管で斜面培養したクラドスポリウムのコロニーを、滅菌水１ｍＬでピペッティングして胞子を回収した。５０ｍＬ容の遠沈管に胞子回収液１ｍＬと２４ｍＬの滅菌水を加え、室温、２００ｒｐｍの条件で１０分間振とうし、供試液を得た。１．５ｍＬ容のマイクロチューブに供試液１ｍＬを入れ、ブロックヒーターを用いて、ヒートショックを与えた後、シャーレに入れたＰＤＡ培地上に塗布し、２５℃で４日間静地培養した。その後、目視でコロニー数をカウントし生存菌数を算出した。ヒートショック後の生存菌数をヒートショック前の生存菌数で除し、生存率を算出した。
【０１３１】
図３に示す通り、２５℃または３５℃で２時間湿熱を与えても、クラドスポリウムの生存率はほぼ１００％であり、クラドスポリウムの繁殖を抑制することはできなかった。しかし、４０℃のヒートショックでは１時間で約８０％を抑制でき、２時間では約９０％を抑制させることができた。また、４５℃のヒートショックでは、０．５時間の暴露でほぼ全滅させることができた。
【０１３２】
このように、クラドスポリウムは水浸条件において、４０℃以上のヒートショックを１時間以上与えることにより死滅させることが可能であることが分かり、浴室内において壁面が水滴や結露濡れている場合も、温度を上昇させることによって乾燥させることなく抑制することが可能であることを示している。
【０１３３】
同様に、クラドスポリウムを用いて、湿り空気による増殖抑制試験を行った。その方法を以下に記す。
【０１３４】
ＰＤＡ培地により試験管で斜面培養したコロニーを滅菌水１ｍＬでピペッティングすることにより、胞子を回収した。５０ｍＬ容の遠沈管に胞子回収液１ｍＬと２４ｍＬの滅菌水を加え、室温、２００ｒｐｍで１０分間振とうし、供試液を得た。２５ｍＬ容の遠沈管に供試液０．１ｍＬを入れ、約２時間かけて完全に風乾させた後、予め２５、３５、４０または４５℃かつ９９％ＲＨに設定された恒温恒湿槽に入れて、乾燥胞子に温湿度ショックを与えた。その後、遠沈管に滅菌水５ｍＬを入れてボルテックスすることにより、乾燥胞子を滅菌水中に分散させ、シャーレに入れたＰＤＡ培地上に塗布して２５℃で４日間静地培養した。そして、目視でコロニー数をカウントし生存菌数を算出した。温湿度ショック後の生存胞子数を温湿度ショック前の生存胞子数で除し、生存率を算出した。
【０１３５】
図４に示す通り、クラドスポリウムは４０℃、９９％ＲＨ条件下の湿り空気に１時間暴露させることによりほぼ全滅させることができた。
【０１３６】
ここで、図５に示す通り、オーレオバシジウム（Ａｕｒｅｏｂａｓｉｄｉｕｍ  ｐｕｌｕａｎｓ  ＮＢＲＣ６３５３）を用いた実験においても、４０℃、９９％ＲＨ条件下の湿り空気に１時間暴露させることにより、ほぼ全滅させることができた。カビは乾燥により完全に水分を飛ばした後に、４０℃、９９％ＲＨ条件に１時間暴露させることにより、ほぼ完全に死滅させることが可能であった。これは、浴室内の空気中に浮遊するカビを抑制できることを示している。
【産業上の利用可能性】
【０１３７】
温度と湿度からカビの繁殖レベルを判定することにより、浴室内のカビの繁殖を抑制することができ、浴室内を清潔に保つことができる。
【図面の簡単な説明】
【０１３８】
【図１】本発明の実施の形態２のミストサウナ付き浴室暖房乾燥機を示す側面構成図
【図２】同実施の形態２の空気線図により壁面が７５％に達するときの空気湿度を求める方法を示すグラフ
【図３】本発明の実施の形態３のクラドスポリウム胞子懸濁液への湿熱による胞子発芽活性の低下を示すグラフ
【図４】湿り空気によるクラドスポリウムの繁殖抑制効果を示すグラフ
【図５】湿り空気によるオーレオバシジウムの繁殖抑制効果を示すグラフ
【図６】従来のミストサウナ装置を示す側面構成図
【符号の説明】
【０１３９】
１    浴室暖房乾燥機
２    換気ボックス
３    ミスト発生乾燥循環ボックス
４    運転制御指示回路
５    排気ファン
６    排気ダンパー
７    給湯暖房機
８    給湯配管
９    ミスト生成手段
１０  エレミネータ
１１  排水受
１２  熱交換器
１３  送風機
１４  温度検知手段
１５  湿度検知手段
１６  浴室周囲空気温度検知手段
１７  お湯量調整弁
１８  気流制御手段
１９  浴室内リモコン
２０  脱衣室リモコン
２１  表示手段
２２  起動手段
【図１】
0005119959.tif 000003
【図２】
0005119959.tif 000004
【図３】
0005119959.tif 000005
【図４】
0005119959.tif 000006
【図５】
0005119959.tif 000007
【図６】
0005119959.tif 000008